(57)【要約】【課題】生体情報のトレンドを容易に把握することができ、周期的な変動と経時的な変動に基づいて離床予測を可能とする。【解決手段】平板の表面に設けられた圧力センサと振動センサを用いて被測定者の生体情報を計測することで得られた強度（圧力値、振動値）から被測定者の離床状態を予測する。圧力センサと振動センサは、就床時における被測定者の身長方向に対して直交する軸線上に設ける。【選択図】図１
2019032629.tif 000002
【特許請求の範囲】
【請求項１】
被測定者の下に設けられ、該被測定者の生体情報を計測し、該被測定者の離床状態を予測する離床予測装置であって、
平板の表面に圧力センサと振動センサが設けられ、
該圧力センサと該振動センサは、就床時における前記被測定者の身長方向に対して直交する軸線上に設けられた離床予測装置。
【請求項２】
前記圧力センサは、１個以上設けられ、
前記振動センサは、２個以上設けられるとともに、
該圧力センサと該振動センサは、前記平板の前記被測定者の身長方向に対して直交する方向に延びる軸線を中心に線対称となる位置に設けられた請求項１に記載の離床予測装置。
【発明の詳細な説明】
【技術分野】
【０００１】
本発明は、離床予測装置、詳しくは就床状態にある被測定者の状態を経時的に計測し、得られた結果に基づいて離床状態を予測するシステムに関する。
【背景技術】
【０００２】
現在、超少子高齢化社会を迎えており、病院だけでなく、介護施設による職員や、在宅介護における家族が、就床状態にある被測定者（たとえば被介護者や認知症・アルツハイマー症等の患者等）の生体情報を適切に把握する必要性が高まっている。
このような状況のなか、従来から、各種情報を出力する装置として、単位時間当たりの数値（平均値や累積値）から長期間（１週間、１ヶ月等）の平均値や累積値を算出し、グラフを表示する装置や、測定時刻での測定値を単位時間毎に時系列で表示し、単位時間毎のグラフを同一に表示する方法も知られている。この中でも、病院、介護施設職員、在宅介護における家族等が特に必要とするものは、被測定者の生体情報の連続数値データに基づき、周期的な変動と経時的な変動を確認し、異常状態を検知し、通報するシステムである。
そこで、生体情報（例えば、呼吸数、心拍数、体動等）の連続数値データについて、利用者が容易に把握できる装置として特許文献１が提案されている。
【先行技術文献】
【特許文献】
【０００３】
【特許文献１】特開２０１６−１４４６２７号公報
【発明の概要】
【発明が解決しようとする課題】
【０００４】
しかしながら、特許文献１においては、 生体情報（例えば、呼吸数、心拍数、体動等）の連続数値データについて、圧力センサや圧電素子（マイクロフォン）を用いて被測定者の呼吸を検出することで、被測定者の睡眠を評価するものであり、特許文献１に記載のシステムや従来から存在する就床時の計測システムでは、信号の外乱（ノイズ）が大きく、被測定者の離床を予測することは困難であった。
【０００５】
専門家等でない一般の従業員らが、就床時の生体情報の傾向（トレンド）を把握し、適切に行動予測を行うためには、外乱が少ない適切な生体情報を使用する必要がある。そして、発明者は、被測定者の就床時における寝具に加わる圧力、振動に着目し、寝具に加わる圧力と振動に基づいて離床予測が可能となることを知見し、本発明を完成させた。
【０００６】
このような課題に鑑み、本発明は、生体情報のトレンドを容易に把握することができ、周期的な変動と経時的な変動に基づいて離床予測を可能とする離床予測装置を提供することを目的とする。
【課題を解決するための手段】
【０００７】
請求項１に記載の発明は、被測定者の下に設けられ、該被測定者の生体情報を計測し、該被測定者の離床状態を予測する離床予測装置であって、平板の表面に圧力センサと振動センサが設けられ、該圧力センサと該振動センサは、就床時における前記被測定者の身長方向に対して直交する軸線上に設けられた離床予測装置である。
【０００８】
本発明においては、寝具に加わる圧力と振動を圧力センサと振動センサによって検出するとともに、強度（圧力値、振動値）の経時変化から被測定者の状態を予想し、離床予測を行う。この場合、被測定者が寝具から離れている状態にてキャリブレーション（０調整）を行う。キャリブレーションを行うことによって、センサから検出される信号に基づき、被測定者が寝具に着座した状態、就床状態、寝返りをうっている状態、離床しようとしている状態などを、ＩＴ機器を用いることで判別することが容易となる。
そして、離床予測に用いるものは圧力センサと振動センサの２種類のセンサのみを用いていることから、信号の外乱が少なく、離床予測を正確に行うことが可能となる。
【０００９】
請求項２に記載の発明は、前記圧力センサは、１個以上設けられ、前記振動センサは、２個以上設けられるとともに、該圧力センサと該振動センサは、前記平板の前記被測定者の身長方向に対して直交する方向に延びる軸線を中心に線対称となる位置に設けられた請求項１に記載の離床予測装置である。
【００１０】
請求項２に記載の発明によれば、圧力センサと振動センサとが、複数設けられているだけでなく、被測定者の身長方向に対して直交する方向に対して、その方向に延びる軸線を中心に線対称となるように平板に設けられていることにより、被測定者の重心位置がどこにあるのかを把握することが容易となり、その結果、離床予測がより正確に行うことが可能となる。
このため、被測定者の異常を検知し外部通報する外部通報装置と本発明に係る離床予測装置とを連結した場合には、誤って外部に通報する（誤報）件数を減らすことができ、病院、介護施設の職員や、在宅介護における家族の負担を減らすことができる。
なお、圧力センサが一個の場合、平板の被測定者の身長方向に対して直交する方向に延びる軸線上に設けられることとなる。
【発明の効果】
【００１１】
本発明においては、寝具に加わる圧力と振動を圧力センサと振動センサによって検出するとともに、強度（圧力値、振動値）の経時変化から被測定者の状態を予想し、離床予測を行うことにより、被測定者が寝具に着座した状態、就床状態、寝返りをうっている状態、離床しようとしている状態などを、ＩＴ機器を用いることで判別することが容易となるだけでなく、離床予測に用いるものは圧力センサと振動センサの２種類のセンサのみを用いていることから、信号の外乱が少なく、離床予測を正確に行うことが可能となる。
【００１２】
特に、請求項２に記載の発明によれば、圧力センサと振動センサとが、複数設けられているだけでなく、被測定者の身長方向に対して直交する方向に対して対称となるように平板に設けられていることにより、被測定者の重心位置がどこにあるのかを把握することが容易となり、その結果、離床予測がより正確に行うことが可能となる。
このため、被測定者の異常を検知し外部通報する外部通報装置と本発明に係る離床予測装置とを連結した場合には、誤って外部に通報する（誤報）件数を減らすことができ、病院、介護施設の職員や、在宅介護における家族の負担を減らすことができる。
【図面の簡単な説明】
【００１３】
【図１】本発明の実施例１に係る離床予測装置の全体を説明するための図である。
【図２】本発明の実施例１に係る離床予測装置における離床予測を行う手順を示すフローチャート図である。
【図３】本発明の実施例２に係る離床予測装置の全体を説明するための図である。
【発明を実施するための形態】
【００１４】
以下、本発明を実施するための最良の形態について説明する。なお、以下の実施形態の内容に本発明の内容が限定されるものではないことは勿論である。
【００１５】
（実施例１）
本発明の実施例１に係る離床予測装置１０は、ベッド１００の床部と、マットレス１１０との間に載置されるセンサ部１０Ａと、センサ部１０Ａより出力される値を処理するため処理装置１０Ｂを備えて構成されている。
【００１６】
センサ部１０Ａは、長さ約６０ｃｍ、幅約２０ｃｍ、厚さ約１ｃｍのプラスチック製の板材１１を２枚重ね合わせ、四方を螺子で固定したものであり、当該板材１１のうち、ベッド１００の床部に接する方の板材１１の表面に、振動センサ１２を２個、圧力センサ１３を１個、取り付けられている。振動センサ１２と圧力センサ１３は、センサ部１０Ａに対して、長さ方向に対して直線上に配置されるとともに、センサ部１０Ａの長さ方向の中心軸に対して対称となる位置に振動センサ１２と圧力センサ１３が取り付けられている。すなわち、圧力センサ１３は、センサ部１０Ａの長さ方向の中心軸上に設けられ、振動センサ１２は、センサ部１０Ａの長さ方向に対して外方に設けられている。
そして、振動センサ１２、圧力センサ１３は、配線を介して処理装置１０Ｂに接続されている。
【００１７】
センサ部１０Ａは、ベッド１００の床部と、マットレス１１０との間に載置される。このとき、ベッド１００の床部の幅方向とセンサ部１０Ａの長さ方向が略同一となるようにセンサ部１０Ａが載置される。
【００１８】
処理装置１０Ｂでは、振動センサ、圧力センサから送信される振動信号、圧力信号を、配線を介して受信し、離床予測を行うものである。具体的な処理について図２を参照しつつ説明する。
まず、寝具に誰もいないときに振動センサ１２、圧力センサ１３の振動、圧力を０にするキャリブレーション作業を行う。その後、振動センサ１２、圧力センサ１３の信号を随時採取する。なお、本実施例は寝具に誰もいないときにキャリブレーション作業を行うが、被測定者が就床中の状態にてキャリブレーション作業を行ってもよい。
マットレス１１０に、利用者である被測定者が在床すると、マットレス１１０を介してセンサ部１０Ａに圧力と振動が加わる。このとき、その圧力と振動は、振動センサ１２及び圧力センサ１３にて検出される。そして、処理装置１０Ｂは、検出された振動及び圧力に基づいて、利用者が在床していることを判断する。具体的には、検出された圧力が就床時における圧力より弱いものであり、検出された信号について、左右の振動センサ１２から検出された信号を対比し、左右のいずれかの振動センサ１２が強い振動を受信した場合には、強い振動を受信した振動センサ１２側に着座していることが明らかとなる。
【００１９】
また、強い圧力が加わっているが、左右の振動センサ１２から検出された振動を対比した場合に左右の振動の強さに有意差が見られない場合には、被測定者は就床状態にあるといえる。そして、寝返りを打つ場合には、強い圧力が加わり、かつ、寝返りを打つ方向とは逆の位置にある振動センサのみ強い振動を受信する。起き上がろうとするときは、左右の振動センサ１２は強い振動を受信し、かつ、圧力センサ１３が受信する圧力を経時測定した場合に、徐々に低下することとなる。
このように、２つの振動センサ１２と１つの圧力センサをセンサ部１０Ａに設けるのみで、正確な離床予測を行うことができる。
【００２０】
（実施例２）
本発明の実施例１に係る離床予測装置１０では、圧力センサ１２が１つ設けられていたが、実施例２に係る離床予測装置２０には、圧力センサ１２が２つ設けられている。
センサ部２０Ａは、長さ約６０ｃｍ、幅約２０ｃｍ、厚さ約１ｃｍのプラスチック製の板材２１を２枚重ね合わせ、四方を螺子で固定したものであり、当該板材２１のうち、ベッド１００の床部に接する方の板材２１の表面に、振動センサ２２を２個、圧力センサ２３を２個、取り付けられている。振動センサ２２と圧力センサ２３は、センサ部２０Ａに対して、長さ方向に対して直線上に配置されるとともに、センサ部２０Ａの長さ方向の中心軸に対して対称となる位置に振動センサ２２と圧力センサ２３が取り付けられている。すなわち、圧力センサ２３は、センサ部２０Ａの長さ方向の中心軸付近に設けられ、振動センサ２２は、センサ部２０Ａの長さ方向に対して外方に設けられている。
これ以外の構成については実施例１と同様であるため、省略する。
【００２１】
センサ部に圧力センサ２２を２つ設けることにより、被測定者の重心が、マットレス１１０上のどの位置にあるかを判別することが容易となる。すなわち、就床時は左右の圧力はほぼ均等であるが、寝返りを打った場合には、寝返りの方向に位置する圧力センサ２２は強い圧力を受信し、反対の方向に設けられた圧力センサ２２は弱い圧力を受信する。
また、起き上がろうとする場合には左右均等の圧力センサが受信する圧力が徐々に小さくなる。このとき、左右の圧力差があれば、たとえば、寝具の手すりにつかまって起き上がろうとしていることが明らかとなる。
このように実施例１に係る離床予測装置１０より、正確な離床予測が可能となる。
【００２２】
（実施例３）
本発明の実施例３に係る離床予測装置は、実施例２に係る離床予測装置１０に別途振動センサを、センサワイヤを介して設けられたものである。
たとえば、寝具が、独立した寝具部材を２つ並べて１つの寝具を構成するものである場合、振動センサを、被測定者が就床したときに頭部に位置する寝具部材に取り付け、他方の寝具部材にセンサ部を設ける。
独立した寝具部材を２つ並べて１つの寝具を構成したとき、一方の寝具部材に加わる振動や圧力が他方の寝具部材に伝達しない場合であっても、離床予測が可能となる。
【符号の説明】
【００２３】
１０，２０  離床予測装置、
１１，２１  板材、
１２，２２  振動センサ、
１３，２３  圧力センサ。
【図１】
2019032629.tif 000003
【図２】
2019032629.tif 000004
【図３】
2019032629.tif 000005